(57)【要約】【課題】クリーニング後の衣類の乾燥時に袖部全体のシワ取を効率的に行うことができ、しかも袖口からの挿脱操作がスムーズに行えるシワ取用保形具を提供する。【解決手段】与圧または与圧解除により伸縮駆動する伸縮部材２と、該伸縮部材２の上端に第１ジョイント５を介して所定の角度範囲内で開閉自在となるように枢着した二股Ｖ字状の第１アーム６と、伸縮部材２の下端に第２ジョイント１２を介して開閉自在となるように枢着した二股Ｖ字状の第２アーム１３と、第１アーム６のＶ字開放端部および第２アーム１３のＶ字開放端部の各一端にアームヒンジ部２１にて揺動自在に枢着した一方の保形用アーム型２０ａと、第１アーム６のＶ字開放端部および第２アーム１３のＶ字開放端部の各他端にアームヒンジ部２１にて揺動自在に枢着した他方の保形用アーム型２０ｂとを備える。伸縮部材２はペダルスイッチ４の踏圧によって与圧解除可能にする。【選択図】図２
2010131172.tif 000002
【特許請求の範囲】
【請求項１】
与圧または与圧解除により伸縮駆動される伸縮部材と、該伸縮部材の一端に第１ジョイントを介して所定の角度範囲内で開閉自在となるように枢着された二股Ｖ字状の第１アームと、伸縮部材の他端に第２ジョイントを介して開閉自在となるように枢着された二股Ｖ字状の第２アームと、第１アームのＶ字開放端部および第２アームのＶ字開放端部の各一端にアームヒンジ部を介して揺動自在に枢着された一方の保形用アーム型と、第１アームのＶ字開放端部および第２アームのＶ字開放端部の各他端にアームヒンジ部を介して揺動自在に枢着された他方の保形用アーム型とを備えて成ることを特徴とするシワ取用保形具。
【請求項２】
伸縮部材は、空圧供給部に接続されて常時与圧状態とし、該空圧供給部側に備えた踏圧式のペダルスイッチによって伸縮部材への与圧を解除可能にした請求項１記載のシワ取用保形具。
【請求項３】
両保形用アーム型は互いに略平行に配置されていて、クリーニング衣類の肩部から袖口にかけての袖部全体の長さおよび袖部の外郭形状に対応して成る請求項１または２記載のシワ取用保形具。
【請求項４】
第１ジョイントは、その全体が中空の略逆台形駒形状に形成され、台形下底の幅狭下端側は伸縮部材の上端に連結され、台形上底の幅広上端側には第１ピン嵌合孔が開穿されて成る凹所を設け、該凹所内に二股Ｖ字状の第１アームの開閉基部側が挿入され、第１ピン嵌合孔と、開閉基部側に開穿された第１ピン挿通孔とを互いに合致させて第１軸ピンを貫挿して成る請求項１乃至３のいずれか記載のシワ取用保形具。
【請求項５】
第１アームの開閉基部側は、一対のアーム部材の各端部に形成された相欠き部同士を揺動自在に互いに合致させて第１ジョイントの凹所内に挿入されて成る請求項４記載のシワ取用保形具。
【請求項６】
第１ジョイントには第１アームを一定範囲の拡がり角度で開閉基部両側面を係止させるよう前記凹所内側面の左右対向縁部にテーパ状係止面が形成されている請求項１乃至５のいずれか記載のシワ取用保形具。
【請求項７】
第２ジョイントは、第２嵌合孔が開穿されている二股形状に形成され、その内部空所内に二股Ｖ字状の第２アームの開閉基部側が挿入され、第２ピン嵌合孔と開閉基部側に開穿された第２ピン挿通孔とを互いに合致させて第２軸ピンを貫挿して成る請求項１乃至６のいずれか記載のシワ取用保形具。
【請求項８】
第２アームの開閉基部側は、一対のアーム部材の各端部に形成された相欠き部同士を揺動自在に互いに合致させて第２ジョイントの内部空所内に挿入されて成り、いずれか一方のアーム部材の相欠き部における基端側内側面には、前記第１アームの拡がり角度に対応した拡がり角度位置で他方のアーム部材を係止する傾斜状係止面が形成されている請求項１乃至７のいずれか記載のシワ取用保形具。
【発明の詳細な説明】
【技術分野】
【０００１】
本発明は、クリーニング後の衣類である例えば背広上着やブレザー等の特に袖部を乾燥させる際に生じるシワを取除くためのシワ取用保形具に関する。
【背景技術】
【０００２】
従来、クリーニング店において、背広上着やブレザー等をドライクリーニング等で洗浄し、乾燥した後にスチームトンネルと言われる全自動立体仕上げ機において、袖の部分に服地の表面からアイロンを当てプレスしてシワを伸ばす方法が一般的であった。
【０００３】
しかしながら、このようなアイロンでの仕上げは、手作業であるため手間と時間が掛かり、しかもアイロンによるプレス作用によって服地の表面に対し新調感や高級感が損なわれる虞がある。
【０００４】
このため、従来では、例えば特許文献１に開示されているように、ドライクリーニングによる洗浄、乾燥後の袖の仕上げにアイロンを使う必要がなく、自動立体仕上げ機における工程のみでしわを取ることの出来る袖仕上げ補助具が提供されている。
【０００５】
すなわち、この袖仕上げ補助具は、外側が円柱状の２本の平行な支持棒の間に、これらの支持棒を互いに外側へ付勢するパンタグラフ状のスプリングワイヤによる付勢部材を設け、支持棒をこの付勢部材による付勢力に抗して互いに内側に圧縮するときの指を掛ける指掛け部を設けている。そして、使用に際し、指掛け部に指を掛けて付勢部材を圧縮し、支持棒の間隔を縮めた状態で背広等の上着の袖口に差込、指を離して付勢部材の付勢力で袖口をピンと張った状態で、自動立体仕上げ機に通すことにより、袖の幅方向は付勢部材で、袖の長手方向には袖仕上げ補助具の重みで、シワがきれいに伸びた状態となって仕上げられるものとなっている。
【０００６】
また、特許文献２に開示されているように、互いに平行に配置された２本の引張棒を有し、該引張棒間の距離がバネの弾性張力の作用に抗して変動し得る袖用引張アイロン装置なるものが提案されている。
【０００７】
すなわち、この引張棒は、異なる処理ステーション間を共同で移動し得るものであり、例えば、引張棒の一方が他方に対して固定され、他方の引張棒はバネにより取付けられ、このバネ力の作用に抗して、一方の引張棒に対して平行状態で移動し得るものとなっている。そして、引張棒は円形の断面形状を有し、また引張棒の少なくとも一方が中空構造であって、衣類の袖部分の内側からまたは内側に向かって空気またはスチームを取除くまたは噴射するための孔が配備されている。
【特許文献１】特開平９−２９４９００号公報
【特許文献２】特開平７−６８１９５号公報
【発明の開示】
【発明が解決しようとする課題】
【０００８】
しかしながら、従来においては、例えば特許文献１の袖仕上げ補助具の場合、指掛け部に指を掛けて２本の平行な支持棒の間隔を縮めた状態にしてから背広等の上着の袖口に差込、指を離して付勢部材の付勢力で袖口をピンと張った状態とするから、差込操作が非常に面倒であり、しかも付勢部材による過度な付勢力が袖口に働くことから使用後の取出操作もまた面倒なものとなる。また、この袖仕上げ補助具は、袖口のみをピンと張った状態にするだけであって、肩部から袖口にかけての袖部全体を内側から外方に向けての押圧付勢力で緊張させるのではないので、衣類の袖部全体のシワ取を行うことはできないものである。そればかりでなく、袖口内への挿入、取り外しに際し、弾発的に拡開している付勢部材に対する付勢力を解除するために手動で押し狭める操作をしなければならず、面倒で手間が掛かる。そのために、シワ取作業のためにこれを何度も繰り返すことになると、非常な労力を伴なう等の作業者の肉体的な疲労も大きいのである。
【０００９】
また、特許文献２の場合、引張棒間の距離がバネの弾性張力の作用に抗して変動し得る袖用引張アイロン装置が使用され、バネの弾性張力の作用に抗して、一方の引張棒に対して平行状態で移動させるから、これもまた差込操作が非常に面倒であり、しかも使用後における引張棒からの衣類の取出操作もまた非常に面倒なものとなる。
【００１０】
そこで、本発明は叙上のような従来存した諸事情に鑑み創出されたもので、クリーニング後の例えば背広上着やブレザー等の衣類を乾燥させる際に、当該衣類の肩部から袖口にかけての袖部全体を内側から外方に向けての押圧付勢力で緊張させることで袖部全体のシワ取を効率的に行うことができ、しかも袖口からの挿脱操作がスムーズに行えるものとしたシワ取用保形具を提供することを目的とする。
【課題を解決するための手段】
【００１１】
上述した課題を解決するため、本発明にあっては、与圧または与圧解除により伸縮駆動される伸縮部材２と、該伸縮部材２の一端に第１ジョイント５を介して所定の角度範囲内で開閉自在となるように枢着された二股Ｖ字状の第１アーム６と、伸縮部材２の他端に第２ジョイント１２を介して開閉自在となるように枢着された二股Ｖ字状の第２アーム１３と、第１アーム６のＶ字開放端部および第２アーム１３のＶ字開放端部の各一端にアームヒンジ部２１を介して揺動自在に枢着された一方の保形用アーム型２０ａと、第１アーム６のＶ字開放端部および第２アーム１３のＶ字開放端部の各他端にアームヒンジ部２１を介して揺動自在に枢着された他方の保形用アーム型２０ｂとを備えて成るものである。
伸縮部材２は、空圧供給部３に接続されて常時与圧状態とし、該空圧供給部３側に備えた踏圧式のペダルスイッチ４によって伸縮部材２への与圧を解除可能にしたものとできる。
両保形用アーム型２０ａ，２０ｂは互いに略平行に配置されていて、クリーニング衣類Ｐの肩部から袖口Ｑにかけての袖部全体の長さおよび袖部の外郭形状に対応して成るものとできる。
第１ジョイント５は、その全体が中空の略逆台形駒形状に形成され、台形下底の幅狭下端側は伸縮部材２の上端に連結され、台形上底の幅広上端側には第１ピン嵌合孔９が開穿されて成る凹所７を設け、該凹所７内に二股Ｖ字状の第１アーム６の開閉基部側が挿入され、第１ピン嵌合孔９と、開閉基部側に開穿された第１ピン挿通孔１０とを互いに合致させて第１軸ピン１１を貫挿して成るものとできる。
第１アーム６の開閉基部側は、一対のアーム部材の各端部に形成された相欠き部同士を揺動自在に互いに合致させて第１ジョイント５の凹所７内に挿入されて成るものとできる。
第１ジョイント５には第１アーム６を一定範囲の拡がり角度で開閉基部両側面を係止させるよう前記凹所７内側面の左右対向縁部にテーパ状係止面８が形成されているものとできる。
第２ジョイント１２は、第２嵌合孔１４が開穿されている二股形状に形成され、その内部空所内に二股Ｖ字状の第２アーム１３の開閉基部側が挿入され、第２ピン嵌合孔１４と開閉基部側に開穿された第２ピン挿通孔１５とを互いに合致させて第２軸ピン１６を貫挿して成るものとできる。
第２アーム１３の開閉基部側は、一対のアーム部材の各端部に形成された相欠き部同士を揺動自在に互いに合致させて第２ジョイント１２の内部空所内に挿入されて成り、いずれか一方のアーム部材の相欠き部における基端側内側面には、前記第１アーム６の拡がり角度に対応した拡がり角度位置で他方のアーム部材を係止する傾斜状係止面１７が形成されているものとできる。
【００１２】
以上のように構成された本発明に係る袖部シワ取用保形具にあって、伸縮部材２は、これが与圧によって伸長された際に、二股Ｖ字状の第１アーム６を第１ジョイント５を介して所定の角度まで拡開させると同時に、二股Ｖ字状の第２アーム１３を第１ジョイント５による第１アーム６の開き角度と同じ角度に拡開させることで、両保形用アーム型２０ａ，２０ｂはアームヒンジ部２１を介して所定の幅間隔に離反される。
このとき、二股Ｖ字状の第１アーム６は、当該第１アーム６の開閉基部両側面が第１ジョイント５のテーパ状係止面８によって共に係止されて一定範囲しか拡がらない。また、二股Ｖ字状の第２アーム１３は、その一方のアーム部材の基端の相欠き部に形成してある傾斜状係止面１７が他方のアーム部材を係止することによって、第１アーム６の拡がり角度に対応した一定範囲しか拡がらない。
一方、伸縮部材２は、この与圧の解除により当該伸縮部材２は収縮される。これにより二股Ｖ字状の第１アーム６を第１ジョイント５を介して閉動させると同時に、二股Ｖ字状の第２アーム１３を第２ジョイント１２を介して閉動させることで、両保形用アーム型２０ａ，２０ｂはアームヒンジ部２１を介して互いに平行を保ったまま狭窄される。
また、空圧供給部３側に備えた踏圧式のペダルスイッチ４は、当該ペダルスイッチ４が踏圧されていない状態では、空圧供給部３からの与圧によって伸縮部材２を常時伸長させていることで両保形用アーム型２０ａ，２０ｂを互いに拡開させる。
一方、袖口Ｑからの挿入に際し、ペダルスイッチ４の踏圧によって空圧供給部３からの与圧を解除させ、伸縮部材２を収縮させることで両保形用アーム型２０ａ，２０ｂを互いに狭窄させる。
【発明の効果】
【００１３】
本発明によれば、クリーニング後の例えば背広上着やブレザー等の衣類Ｐを乾燥させる際に、当該衣類Ｐの肩部から袖口Ｑにかけての袖部全体を内側から外方に向けての押圧付勢力で緊張させることで袖部全体のシワ取を効率的に行うことができ、しかも袖口Ｑからの挿脱操作がスムーズに行える。
【００１４】
すなわち、これは本発明が、与圧または与圧解除により伸縮駆動される伸縮部材２と、該伸縮部材２の一端に第１ジョイント５を介して所定の角度範囲内で開閉自在となるように枢着された二股Ｖ字状の第１アーム６と、伸縮部材２の他端に第２ジョイント１２を介して開閉自在となるように枢着された二股Ｖ字状の第２アーム１３と、第１アーム６のＶ字開放端部および第２アーム１３のＶ字開放端部の各一端にアームヒンジ部２１を介して揺動自在に枢着された一方の保形用アーム型２０ａと、第１アーム６のＶ字開放端部および第２アーム１３のＶ字開放端部の各他端にアームヒンジ部２１を介して揺動自在に枢着された他方の保形用アーム型２０ｂとを備えて成るからである。
【００１５】
伸縮部材２は、空圧供給部３に接続されて常時与圧状態とし、該空圧供給部３側に備えた踏圧式のペダルスイッチ４によって伸縮部材２への与圧を解除可能にしたので、ペダルスイッチ４の踏圧または踏圧解除によって両保形用アーム型２０ａ，２０ｂを互いに狭窄または拡開させることができ、袖口Ｑに対する両保形用アーム型２０ａ，２０ｂの挿脱操作がスムーズに行える。
【００１６】
両保形用アーム型２０ａ，２０ｂは互いに略平行に配置されていて、クリーニング衣類Ｐの肩部から袖口Ｑにかけての袖部全体の長さおよび袖部の外郭形状に対応して成るので、クリーニング衣類Ｐの袖部全体を内側から外方に向けての押圧付勢力で均一に緊張させることができ、袖部全体のシワ取を効率的に行うことができる。
【００１７】
第１ジョイント５は、その全体が中空の略逆台形駒形状に形成され、台形下底の幅狭下端側は伸縮部材２の上端に連結され、台形上底の幅広上端側には第１ピン嵌合孔９が開穿されて成る凹所７を設け、該凹所７内に二股Ｖ字状の第１アーム６の開閉基部側が挿入され、第１ピン嵌合孔９と、開閉基部側に開穿された第１ピン挿通孔１０とを互いに合致させて第１軸ピン１１を貫挿して成るので、伸縮部材２への与圧または与圧解除に伴う二股Ｖ字状の第１アーム６の開閉動作が確実で且つスムーズに行えるものとなり、両保形用アーム型２０ａ，２０ｂを狭窄または拡開方向に同時に作動させることができる。
【００１８】
第１アーム６の開閉基部側は、一対のアーム部材の各端部に形成された相欠き部同士を揺動自在に互いに合致させて第１ジョイント５の凹所７内に挿入されて成るので、第１アーム６の開閉基部側を狭い凹所７に収めることができ、第１アーム６の開閉動作が確実で且つスムーズに行える。
【００１９】
第１ジョイント５には第１アーム６を一定範囲の拡がり角度で開閉基部両側面を係止させるよう前記凹所７内側面の左右対向縁部にテーパ状係止面８が形成されているので、両保形用アーム型２０ａ，２０ｂの過度な拡がりを確実に阻止でき、クリーニング衣類Ｐを破損させない。
【００２０】
第２ジョイント１２は、第２嵌合孔１４が開穿されている二股形状に形成され、その内部空所内に二股Ｖ字状の第２アーム１３の開閉基部側が挿入され、第２ピン嵌合孔１４と開閉基部側に開穿された第２ピン挿通孔１５とを互いに合致させて第２軸ピン１６を貫挿して成るので、第１アーム６のＹ字開放端部のそれぞれに枢着されている両保形用アーム型２０ａ，２０ｂに同様に枢着されている第２アーム１３の開閉動作も確実且つスムーズに行なえる。このような第１アーム６、第２アーム１３それぞれの開閉動作によって両保形用アーム型２０ａ，２０ｂの開閉動作も同時平行して行なわれ、衣類Ｐの袖部内への挿入、袖部外への取外し作業を迅速に行なえる。
【００２１】
第２アーム１３の開閉基部側は、一対のアーム部材の各端部に形成された相欠き部同士を揺動自在に互いに合致させて第２ジョイント１２の内部空所内に挿入されて成り、いずれか一方のアーム部材の相欠き部における基端側内側面には、前記第１アーム６の拡がり角度に対応した拡がり角度位置で他方のアーム部材を係止する傾斜状係止面１７が形成されているので、第２アーム１３の拡がり角度は第１アーム６の拡がり角度に対応したものとなっている。そのため、両アーム６，１３が一定範囲の拡がり角度で規制されることで、衣類Ｐの袖部内で必要以上に拡がらず、袖部を損傷させることがなく、業務上のクリーニングに必要な顧客へのサービス向上に役立てることができる。
【００２２】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【発明を実施するための最良の形態】
【００２３】
以下、図面を参照して本発明を実施するための最良の一形態を詳細に説明する。図において示される符号１は、工場側にてクリーニングを行った後の例えば背広上着やブレザー等の衣類Ｐを立て掛けた状態で乾燥させる際に生じる袖部分全体のシワを取除くために用いる本発明に係るシワ取用保形具である。
【００２４】
このシワ取用保形具１は、図１または図２に示すように、例えばピストン２ａ・シリンダ２ｂ構造の複動片ロッドによる伸縮部材２を備えており、該伸縮部材２は、これのシリンダ２ｂ内に圧縮エアー等を供給するための空圧供給部３に接続されている。
【００２５】
そして、伸縮部材２と空圧供給部３との間には、圧縮エアーの流路を開閉するための踏圧式のペダルスイッチ４が設けられ、該ペダルスイッチ４の踏圧解除によるスイッチ開成状態では、複動片ロッ２と空圧供給部３との流路が開放されて当該複動片ロッ２が常時与圧されて伸長した状態となるようにしてある。
【００２６】
一方、ペダルスイッチ４の踏圧によるスイッチ閉成状態では、伸縮部材２と空圧供給部３との流路が遮断されて当該伸縮部材２が与圧解除されることで、当該伸縮部材２は、この内部の空気が例えば外部へ自然漏洩、あるいは空圧供給部３に戻ること等によって収縮されるようにしてある。
【００２７】
尚、ペダルスイッチ４の踏圧状態で伸縮部材２内の空気を外部に自然漏洩させる替わりに、ペダルスイッチ４自体に例えば排気機構（図示せず）等を接続することで、ペダルスイッチ４の踏圧によって伸縮部材２内の空気を外部に逃がすようにしても良い。
【００２８】
この伸縮部材２の一端には、衣類Ｐの袖部における上方の肩部側に位置するよう（図１参照）、例えばナックルジョイントである第１ジョイント５を介して所定の角度範囲内で開閉自在となるように例えばナックルアームである二股Ｖ字状の第１アーム６の開閉基部側が枢着されている。
【００２９】
この第１ジョイント５は、図３に示すように、その全体が中空の略逆台形駒形状に形成され、台形下底の幅狭一端側には雌ネジ部５ａが形成されている。この雌ネジ部５ａには、伸縮部材２の例えばピストン２ａ側端部に形成された雄ネジ部をねじ込むことで第１ジョイント５と、伸縮部材２のピストン２ａ側とが一体となっている。
【００３０】
また、第１ジョイント５の台形上底の幅広他端側にはその中央面に略矩形状の凹所７を設け、該凹所７内側面の左右両側縁部には互いに外方に向けて傾斜したテーパ状係止面８を形成し、さらに凹所７の側壁には第１ピン嵌合孔９が対向開穿されている。
【００３１】
図４に示すように、前記二股Ｖ字状の第１アーム６の開閉基部側は、互いに揺動自在となる一対のアーム部材の各端部に段差を介して形成された肉薄の相欠き部同士を互いに合致させて成り、両相欠き部の略中央には第１ピン挿通孔１０が開穿されている。そして、互いに合致させた相欠き部同士による開閉基部側を第１ジョイント５の凹所７内に挿入し、該凹所７の第１ピン嵌合孔９と第１アーム６の第１ピン挿通孔１０とを互いに合致させておいて外側から第１軸ピン１１を貫挿させ、凹所７の第１ピン嵌合孔９から突出した第１軸ピン１１の端部を当該第１ピン嵌合孔９に対し例えば鳩目状に固定させる等して構成されている。尚、第１アーム６の開閉基部における相次き部は、アーム部材の端部相互を交差状に重ね合わせたときの交差部分がアーム部材の肉厚とほぼ同一となり、また、相次き部における基端側と反対側に形成した傾斜縁が互いに当接することで一定角度範囲以下には閉鎖しないように配慮してある。
【００３２】
図３（ａ）に示すように、凹所７内側面の左右両側縁部は、例えば６０°の角度に互いに外向きに傾斜させることでテーパ状係止面８が形成されている。そして、第１ジョイント５に対し二股Ｖ字状の第１アーム６が閉じている状態から、図３（ｂ）に示すように、二股Ｖ字状の第１アーム６が互いに開いた状態では、凹所７の左右両側縁部におけるテーパ状主係止面８に各第１アーム６の開閉基部両側面を係止することで、当該第１アーム６はそれ以上に拡開しないようにしてある。すなわち、二股Ｖ字状の第１アーム６自体は第１ジョイント５のテーパ状主係止面８によって一定範囲である例えば１００°の角度しか拡がらないようになっている。
【００３３】
一方、伸縮部材２の他端には例えば二股状のクレビスである第２ジョイント１２を介して開閉自在となるように二股Ｖ字状の例えばナックルアームである第２アーム１３の開閉基部側が枢着されている。
【００３４】
第２ジョイントは、第２ピン嵌合孔１４が開穿されている形状に形成され、その内部空所内に二股Ｖ字状の第２アーム１３の開閉基部側が挿入されている。そして、第２ジョイント１２の第２ピン嵌合孔１４と、第２アーム１３の開閉基部側に開穿された第２ピン挿通孔１５とを互いに合致させて外側から第２軸ピン１６を貫挿させ、第２ジョイント１２の第２ピン嵌合孔１４に対し例えば鳩目状に固定させる等して構成されている。
【００３５】
また、第２アーム１３は第１アーム６と同様に一対のアーム部材から構成されており、図５に示すように、第２アーム１３の開閉基部側は、一対のアーム部材の各端部に形成された相欠き部同士を揺動自在に互いに合致させて第２ジョイント１２の内部空所内に挿入されて成る。そして、いずれか一方のアーム部材の相欠き部におけるアーム部材自体の基端側、すなわち第２ピン挿通孔１５が開穿されている基端側内側面には、拡開したときに、前記第１アーム６の拡がり角度に対応した拡がり角度位置で、いずれか他方のアーム部材を係止する傾斜状係止面１７が形成されている（図５（ｂ）参照）。この傾斜状係止面１７は、第２ピン挿通孔１５の開穿位置に比し基端側に位置していて、相欠き部の形成によって残存している突部面であり、アーム部材の長手方向に沿う軸線に対して例えば約２０°（１９、７９°）で傾斜している。尚、第２アーム１３の開閉基部における相欠き部は、アーム部材の端部相互を交差状に重ね合わせたときの交差部分がアーム部材の肉厚とほぼ同一となり、また、第１アーム６と同様に、相欠き部における傾斜状係止面１７と反対側に形成した傾斜縁が互いに当接することで一定角度範囲以下には閉鎖しないように配慮してある（図５（ａ）参照）。
【００３６】
また、第１アーム６のＶ字開放端部のいずれか一方の先端部と、第２アーム１３のＶ字開放端部のいずれか一方の先端部とは、アームヒンジ部２１を介して一方の保形用アーム型２０ａが揺動自在に枢着されている。この保形用アーム２０ａと対称的にほぼ平行配置されるように、第１アーム６のＶ字開放端部のいずれか他方の先端部と、第２アーム１３のＶ字開放端部のいずれか他方の先端部とは、アームヒンジ部２１を介して他方の保形用アーム型２０ｂが揺動自在に枢着されている。
【００３７】
そして、伸縮部材２が伸縮することで、二股Ｖ字状の第１アーム６、更には第２アーム１３が開閉し、これにより両保形用アーム型２０ａ，２０ｂが互いに平行を保ちながら拡開したり狭窄したりする。このとき、第１アーム６および第２アーム１３と、保形用アーム型２０ａ，２０ｂとの各連結点が一定位置となっているから、第１ジョイント５を介して二股Ｖ字状の第１アーム６を連結している伸縮部材２が伸縮することで、二股Ｖ字状の第１アーム６および第２アームの拡開および両保形用アーム型２０ａ、２０ｂの広がりが円滑に行われるものとなっている。尚、第１アーム６および第２アーム１３の拡開角度は１８０°以内に設定されていて、閉鎖角度は約３０°程度とされることで、保形用アーム２０ａ，２０ｂ相互の離反による拡開、近接による狭窄作動の繰り返しが円滑に行なわれるようにしている。
【００３８】
これら両保形用アーム型２０ａ，２０ｂは互いに略平行に配置されていて、クリーニング衣類Ｐの肩部から袖口Ｑにかけての袖部全体の長さおよび袖部の外郭形状に対応している。具体的には、袖部の外側に対応する保形用アーム型２０ａは全体が緩やかな円弧状で、断面が略半長円状となったパイプ材によって形成され、袖部の内側に対応する保形用アーム型２０ｂはＳ字を引き延ばした略蛇行状で、断面が略半長円状となったパイプ材によって形成されている。
【００３９】
また、これらの両保形用アーム型２０ａ，２０ｂでは、必要があれば袖部の内側面に対して蒸気を当てるように蒸気供給手段と連結させて、蒸気噴出孔を形成しておく。
【００４０】
次に、以上のように構成された最良の形態についての使用、動作の一例について説明する。先ず、図１に示すように、ペダルスイッチ４の踏圧によってスイッチ閉成状態にして、伸縮部材２と空圧供給部３との流路を遮断し、当該伸縮部材２の与圧を解除することで当該伸縮部材２は収縮される。これと同時に二股Ｖ字状の第１アーム６および二股Ｖ字状の第２アーム１３の各Ｖ字開放端部同士が共に閉じることで両保形用アーム型２０ａ，２０ｂが互いに平行を保ちながら狭窄する。
【００４１】
このようにして狭窄した状態のシワ取用保形具１を、クリーニングすべき衣類Ｐの例えば右袖部の袖口Ｑから肩部にかけて挿入する。このとき、略円弧状に形成されている保形用アーム型２０ａの方を袖部の外側に対応させ、Ｓ字を引き延ばした略蛇行状となって形成されている保形用アーム型２０ｂの方を袖部の内側に対応させる。
【００４２】
挿入後、図２に示すように、ペダルスイッチ４の踏圧解除によってスイッチ開成状態にすることで、伸縮部材２と空圧供給部３との流路が開放され、当該伸縮部材２を与圧状態にする。これにより、伸縮部材２のピストン２ａがシリンダ２ｂから伸長され、二股Ｖ字状の第１アーム６のＶ字開放端部が互いに開くと共に、両保形用アーム型２０ａ，２０ｂにつられて第２アーム１３のＶ字開放端部も開くことで当該両保形用アーム型２０ａ，２０ｂが互いに平行を保ちながら拡開する。このとき、二股Ｖ字状の第１アーム６自体は当該第１アーム６の開閉基部両側面が第１ジョイント５のテーパ状係止面８に係止される一方、第２アーム１３の基部は傾斜状係止面１７に当接されることによって一定範囲しか拡がらない。
【００４３】
このようにして、クリーニング衣類Ｐの肩部から袖口Ｑにかけての袖部全体を、内側から外方に向けての押圧付勢力で緊張させることで袖部全体のシワ取を行い、必要があれば、保形用アーム型２０ａ，２０ｂ内部から所定圧の蒸気を噴出させるようにする。
【００４４】
また、シワ取用保形具１を、クリーニング衣類Ｐの左袖部の袖口Ｑから肩部にかけて挿入する場合には、この両保形用アーム型２０ａ，２０ｂの左右の向きを違えて挿入してから、上記と同じ操作で袖部全体の保形を行えば良い。
【図面の簡単な説明】
【００４５】
【図１】本発明を実施するための最良の形態におけるシワ取用保形具の使用の一例を示し、保形用アーム型を狭窄させてクリーニング衣類の袖口から袖部内に挿入させた状態の正面図である。
【図２】同じく保形用アーム型を拡開させてクリーニング衣類の袖部のシワ取を行っている状態の正面図である。
【図３】同じく二股Ｖ字状の保形用アーム型の開閉動作を説明するもので、（ａ）は第１ジョイントに対して第１アームが閉じている状態の一部切欠正面図、（ｂ）は第１ジョイントに対して第１アームが開いた状態の一部切欠正面図である。
【図４】同じく第１ジョイントに枢着された二股Ｖ字状の第１アームが拡開した状態を示す一部切欠平面図である。
【図５】同じく第２ジョイントに枢着された二股Ｖ字状の第２アームの開閉動作を説明するもので、（ａ）は第２ジョイントに対して第２アームが閉じている状態の一部切欠正面図、（ｂ）は第２ジョイントに対して第２アームが開いた状態の一部切欠正面図である。
【符号の説明】
【００４６】
Ｐ…衣類                                Ｑ…袖口
１…シワ取用保形具                      ２…伸縮部材
２ａ…ピストン                          ２ｂ…シリンダ
３…空圧供給部                          ４…ペダルスイッチ
５…第１ジョイント                      ５ａ…雌ネジ部
６…第１アーム                          ７…凹所
８…テーパ状係止面                      ９…第１ピン嵌合孔
１０…第１ピン挿通孔                    １１…第１軸ピン
１２…第２ジョイント                    １３…第２アーム
１４…第２ピン嵌合孔                    １５…第２ピン挿通孔
１６…第２軸ピン                        １７…傾斜状係止面
２１…アームヒンジ部                    ２０ａ，２０ｂ…保形用アーム型
【図１】
2010131172.tif 000003
【図２】
2010131172.tif 000004
【図３】
2010131172.tif 000005
【図４】
2010131172.tif 000006
【図５】
2010131172.tif 000007